(57)【要約】【課題】  携帯端末機器内に装着されているＩＣチップと自動改札機との通信状況や改札処理の状況を利用者に感覚的、かつ、確実に通知することができる。この結果として、自動改札機での処理未了率を低減させることが可能となる。【解決手段】  自動改札機での改札処理が可能なＩＣチップを具備する携帯端末装置を自動改札機の所定の位置に近づけると、自動改札機とＩＣチップとの通信状況や処理状況に応じて携帯端末機器の機体を震動させるようにしたものである。【選択図】      図１
2006229349.tif 000002
【特許請求の範囲】
【請求項１】
携帯端末機器本体に電子装置が装着された携帯端末機器であって、
前記電子装置は、
外部装置との通信を行う通信手段と、
この通信手段により受信した前記外部装置からの要求に応じて処理を実行する処理手段と、
この処理手段により実行した処理の状況を前記携帯端末機器本体へ通知する通知手段とを有し、
前記携帯端末本体は、
前記電子装置から通知される処理の状況に応じて当該携帯端末機器本体を振動させる振動手段を有する、
ことを特徴とする携帯端末機器。
【請求項２】
前記振動手段は、前記電子装置から前記外部装置との通信を開始した旨の通知を受けた場合に、当該携帯端末機器本体を振動させる、ことを特徴とする前記請求項１に記載の携帯端末機器。
【請求項３】
前記振動手段は、前記電子装置から前記外部装置に要求された処理が終了した旨の通知を受けた場合に、当該携帯端末機器本体を振動させる、ことを特徴とする前記請求項１に記載の携帯端末機器。
【請求項４】
前記振動手段は、前記電子装置から前記外部装置との通信を開始した場合に当該携帯端末機器本体を第１の振動パターンで振動させ、さらに、前記電子装置から前記外部装置に要求された処理が終了した旨の通知を受けた場合に当該携帯端末機器本体を前記第１の振動パターンとは異なる第２の振動パターンで振動させる、ことを特徴とする前記請求項１に記載の携帯端末システム。
【請求項５】
携帯端末機器本体に電子装置が装着された携帯端末機器と、この携帯端末機器を所持する利用者の通行を制御する通行制御装置とからなる通行制御システムであって、
前記携帯端末機器は、
前記通行制御装置との通信を行う第１の通信手段と、
この第１の通信手段により受信した前記通行制御装置からの要求に応じて処理を実行する処理手段と、
この処理手段により実行した処理の状況を前記携帯端末機器本体へ通知する通知手段とを具備する電子装置と、
前記電子装置から通知される処理の状況に応じて当該携帯端末機器本体を振動させる振動手段を具備する携帯端末機器本体と、を有し、
前記通行制御装置は、
前記電子装置との通信を行う第２の通信手段と、
この第２の通信手段により前記電子装置から読取った情報に基づいて通行の可否を判定する判定手段と、
この判定手段による判定結果を前記第２の通信手段により前記電子装置へ通知するとともに、前記判定結果に基づいて利用者の通行を制御する制御手段と、を有する、
ことを特徴とする通行制御システム。
【発明の詳細な説明】
【技術分野】
【０００１】
この発明は、例えば、通行制御装置などの外部装置との通信を行う機能を有する電子装置が装着された携帯端末機器と、前記携帯端末機器に装着されている電子装置との無線通信を行う機能を有する通行制御装置とからなる携帯端末システムに関する。
【背景技術】
【０００２】
従来、自動改札機などの通行制御装置では、利用者が所持する非接触式ＩＣカードとの無線通信を行い、上記非接触式ＩＣカードから読取った情報に基づいて利用者の通行の可否を判定するものが実用化されている。さらに、近年では、外部機器との無線通信機能を有するＩＣカードが装着されている携帯電話等の携帯端末機器との無線通信により通行の可否を判定する自動改札機ものも提案されている。  
このような自動改札機では、所定の通信圏内に提示された非接触式ＩＣカードあるいは携帯端末機器とは通信が可能であるが、通信圏外に移動した非接触式ＩＣカードあるいは携帯端末機器との通信は不能となってしまう。従って、自動改札機では、処理が完了するまで非接触式ＩＣカードあるいは携帯端末機器が通信圏内に確実に留まっていることが必要である。
【０００３】
従来は、非接触式ＩＣカードと自動改札機による処理状況を利用者に報知する技術として、利用者が使って入場ゲートを通過する際、自動改札機とＩＣカードとの通信状況や通行判定処理の状況などを、自動改札機に設置したランプ、モニタ、ブザーなどの報知手段により知らせるものが開示されている（例えば、特許文献１あるいは特許文献２）。  
また、自動改札機と非接触式ＩＣカードとが確実に通信を行って処理の未了率を低減するための提案としては、自動改札機側の電波帯に非接触式ＩＣカードが確実に入るようにガイドを設けるものも開示されている（例えば、特許文献３）。
【０００４】
しかしながら、上記のような従来の技術では、視覚などに障害がある人には、ＩＣカードが確実に処理されているか否かを認識しにくいという問題点がある。また、実際の運用時においては、自動改札機に別途設けられているランプあるいはモニタなどの報知手段を注視せずに通過しようとする利用者も多い。このため、利用者に対して自動改札機による処理状況を感覚的、かつ、確実に報知することが可能なものが要望されている。
【特許文献１】特開平７−２９６２０６号
【特許文献２】特開平７−３２００９７号
【特許文献３】特開平８−２６３７０６号
【発明の開示】
【発明が解決しようとする課題】
【０００５】
この発明は、上記の問題を解決するためになされたものであり、利用者に対して外部装置との通信状況や処理状況を感覚的、かつ、確実に報知することが可能な携帯端末機器および通行制御システムを提供することを目的とする。
【課題を解決するための手段】
【０００６】
この発明の携帯端末機器は、携帯端末機器本体に電子装置が装着されたものであって、前記電子装置が、外部装置との通信を行う通信手段と、この通信手段により受信した前記外部装置からの要求に応じて処理を実行する処理手段と、この処理手段により実行した処理の状況を前記携帯端末機器本体へ通知する通知手段とを有し、前記携帯端末本体が、前記電子装置から通知される処理の状況に応じて当該携帯端末機器本体を振動させる振動手段を有する。
【０００７】
この発明の通行制御システムは、携帯端末機器本体に電子装置が装着された携帯端末機器とこの携帯端末機器を所持する利用者の通行を制御する通行制御装置とからなるシステムであって、前記携帯端末機器が、前記通行制御装置との通信を行う第１の通信手段と、この第１の通信手段により受信した前記通行制御装置からの要求に応じて処理を実行する処理手段と、この処理手段により実行した処理の状況を前記携帯端末機器本体へ通知する通知手段とを具備する電子装置と、前記電子装置から通知される処理の状況に応じて当該携帯端末機器本体を振動させる振動手段を具備する携帯端末機器本体と、を有し、前記通行制御装置が、前記電子装置との通信を行う第２の通信手段と、この第２の通信手段により前記電子装置から読取った情報に基づいて通行の可否を判定する判定手段と、この判定手段による判定結果を前記第２の通信手段により前記電子装置へ通知するとともに、前記判定結果に基づいて利用者の通行を制御する制御手段とを有する。
【発明の効果】
【０００８】
この発明によれば、利用者に対して外部装置との通信状況や処理状況を感覚的、かつ、確実に報知することが可能な携帯端末機器および通行制御システムを提供できる。
【発明を実施するための最良の形態】
【０００９】
以下、この発明の実施の形態について図面を参照して説明する。  
図１は、この発明の実施の形態に係る携帯端末機器としての携帯電話機１と通行制御装置としての自動改札機２の構成例を示すブロック図である。また、上記携帯電話機１と上記自動改札機２とは、通行制御システムとしての自動改札システムを構成している。
【００１０】
まず、上記携帯電話機１の構成について説明する。  
上記携帯電話機１は、図１に示すように、電子装置としてのＩＣカード（ＩＣチップ）Ｃが装着される構成となっている。なお、例えば、上記携帯電話機１は、第３世代とよばれる３ＧＰＰ（Third Generation Partnership Project）で標準化された規格に準じた携帯電話機であり、この場合、当該携帯電話機に装着されるＩＣカードＣは、ＵＩＭ（User Identity Module）カードあるいはＵＳＩＭ（Universal Subscriber Identity Module）と呼ばれるＩＣカードである。
【００１１】
上記携帯電話機１は、図１に示すように、制御部１１、操作部１２、通信部１３、音声部１４、電源部１５、表示部１６、振動部１７、およびＩＣカードソケット１８などを有している。  
上記制御部１１は、携帯電話機１全体の制御を司るものである。上記制御部１１は、ＣＰＵ、内部メモリ、各種のインターフェースなどを有している。上記制御部１１には、制御プログラムが記憶されている不揮発性メモリとしてのＲＯＭ、作業用のデータを記憶する揮発性メモリとしてのＲＡＭ、及びキーボードなど操作部１２が接続されている。上記制御部１１は、例えば、ＰＬＬ（Phase Locked Loop）回路、データストリーム経路切換え、ＤＭＡ（Direct Memory Access）コントローラ、割り込みコントローラ、タイマ、ＵＡＲＴ（Universal Asynchronous Receiver Transmitter）、秘匿、ＨＤＬＣ（High-level Data Link Control procedure）フレーミング、ＵＳＢディバイスコントローラなどの機能を有している。
【００１２】
また、上記制御部１１には、機能設定フラグ１１ａおよび振動パターンテーブル１１ｂなどが設けられている。上記機能設定フラグ１１ａは、後述する改札処理時の振動機能を有効とするか無効とするかを示す情報がセットされる。また、上記振動パターンテーブル１１ｂは、後述する改札処理時の振動機能により携帯電話機１本体を振動させる場合の振動パターンを特定するためのテーブルである。ここでは、上記振動パターンテーブル１１ｂには、例えば、後述するようなＩＣカードＣの処理状況に応じた振動パターンが予め記憶されているものとするが、上記振動パターンテーブル１１ｂに記憶する振動パターンは、利用者が設定できるようにしても良い。
【００１３】
上記通信部１３には、携帯電話用のアンテナが接続され、上記携帯電話用のアンテナを介して通話データやデータ通信用の電波の送受信を行う。上記音声部１４は、アナログフロントエンド部及びオーディオ部を有し、音声の入出力を行うものである。上記音声部１４には、スピーカ、レシーバ、マイクなどが接続されている。例えば、上記音声部１４は、スピーカから着信音を出力することにより着信音の出力機能を有している。また、上記音声部１４は、受話部としてのレシーバから音声を出力し、送話部としてのマイクから音声を入力したりする機能を有している。
【００１４】
上記電源部１５は、バッテリーなどにより構成され、当該携帯電話機１内の各部に電源を供給するようになっている。また、上記電源部１５は、上記ＩＣカードソケット１８を介してＩＣカードＣに電源を供給する機能も有している。上記表示部１６は、液晶表示装置などにより構成される表示部への表示制御を行うものである。
【００１５】
上記振動部１７は、当該携帯電話機１全体を振動させる振動機構により構成される。上記振動部１７は、上記制御部１１による振動機能の設定に基づいて、当該携帯電話機１を振動させるようになっている。上記振動部１７による振動は、上記制御部１１による設定に基づいて機能するようになっている。例えば、上記振動部１７は、特定のイベント（たとえば、電話やメールの着信など）が発生した際に、上記制御部１１により予め設定されている各イベントに応じた振動パターンにて当該携帯電話機１を振動させるようになっている。
【００１６】
また、上記ＩＣカードソケット１８は、ＩＣカードＣが装着されるソケットである。上記ＩＣカードソケット１８には、上記制御部１１に接続されているとともに上記ＩＣカードＣが外部の通信装置としての自動改札機２との無線通信を行うためのアンテナ１９に接続されている。上記アンテナ１９は、上記ＩＣカードソケット１８に装着されたＩＣカードＣからの信号を無線電波として送受信するものである。すなわち、上記ＩＣカードソケット１８は、装着されたＩＣカードＣが上記制御部１１とのデータの送受信と上記アンテナ１９を用いた外部の通信装置との無線通信とを実現できるように構成される。
【００１７】
また、本実施の形態では、上記携帯電話機１に装着されるＩＣカードＣが無線通信を行う外部の通信装置として、駅の改札口等に設置される自動改札機（通行制御装置）２を想定するものとする。従って、上記自動改札機２は、図１に示すように、上記ＩＣカードＣとの無線通信を行う第２の通信手段としての無線通信ユニット２１を具備するものとする。
【００１８】
また、上記自動改札機２は、上記ＩＣカードＣとの無線通信によって上記ＩＣカードＣから乗車券情報などの情報を読取り、ＩＣカードＣから読取った情報に基づいて通行（入出場）の可否を判定する機能（判定手段）を有している。さらに、上記自動改札機２は、ＩＣカードＣの通行の可否判定の結果を無線通信によって通知するとともに、その通行の可否判定の結果に基づいて利用者の通行を制御する機能（制御手段）を有している。すなわち、上記自動改札機２は、上記無線通信ユニット２１による上記ＩＣカードＣとの無線通信にてＩＣカードＣ内に記憶されている情報を読み取り、そのＩＣカードＣから読み取った情報に基づいて通行の可否を判断し、その判断結果に基づいて当該ＩＣカードの所持者に対する通行制御を行うようになっている。
【００１９】
次に、上記ＩＣカードＣについて説明する。  
図２は、上記携帯電話機１のＩＣカードソケット１８に装着可能なＩＣカードＣの構成例を示すブロック図である。  
上記ＩＣカードＣは、図２に示すように、制御素子３０、ＲＡＭ３１、ＲＯＭ３２、不揮発性メモリ３３、入出力インターフェース３４、および無線通信部３５などを有している。なお、図２に示すようなＩＣカードＣの各部は、上記携帯電話機１に装着された状態において、上記携帯電話機１の電源部１５からの電源供給、または、上記自動改札機２の無線通信ユニット２１からの電磁波により生成した電源の供給を受けて動作するようになっている。
【００２０】
上記制御素子３０は、当該ＩＣカードＣ全体の制御を司るものである。上記制御素子３０は、上記ＲＯＭ３２あるいは上記不揮発性メモリ３３に記憶されている制御プログラムに基づいて動作する。上記ＲＡＭ３１は、作業用のデータ等を一時的に記憶する揮発性のメモリである。上記ＲＯＭ３２は、不揮発性の記憶素子により構成され、予め制御プログラムや制御データなどが記憶されている。
【００２１】
上記不揮発性メモリ３３は、書換え可能な不揮発性のメモリにより構成される。すなわち、上記不揮発性メモリ３３は、上記制御素子３０の制御によってデータの書込み、及び、データの書き換えが可能な不揮発性の記憶手段である。また、上記不揮発性メモリ３３には、後述するような上記自動改札機２での改札処理（入出場処理）に使用される利用者情報としての乗車券情報、入場情報、出場情報などの情報が記憶される記憶領域３３ａが設けられている。
【００２２】
上記入出力インターフェース３４は、上記携帯電話機１側のＩＣカードソケット１８と接続されるインターフェースである。また、上記無線通信部３５は、上記携帯電話機１内のアンテナ１９を介して外部の通信装置としての自動改札機２との無線通信を行うものである。すなわち、上記入出力インターフェース３４は、上記ＩＣカードソケット１８を介して上記携帯電話機１の制御部１１に接続して制御素子３０と制御部１１とのデータの送受信を行う実現するとともに、上記携帯電話機１内のアンテナ１９に接続して上記無線通信部３５によるＩＣカードＣと上記自動改札機２との無線通信を実現している。
【００２３】
例えば、上記ＩＣカードＣの制御素子３０は、上記不揮発性メモリ３３に記憶されているコマンドに基づいて上記入出力インターフェース３４を介して上記携帯電話機１の制御部１１とのデータの送受信を行う。また、上記ＩＣカードＣの無線通信部３５は、所定の通信プロトコルに基づいて、上記入出力インターフェース３４を介して上記携帯電話機１内のアンテナ１９により無線通信用のデータ（信号）を送受信することにより自動改札機２との無線通信を行うようになっている。
【００２４】
図３は、上記ＩＣカードＣと上記携帯電話機１本体の制御部（アプリケーション）との関係を概念的に示す図である。  
上記携帯電話機１では、電源がオンの状態において上記制御部１１により携帯電話機１としての種々のアプリケーションプログラムを実行している。これに対して、上記ＩＣカードＣは、上記自動改札機２のリーダライタ２１からの信号に応じて動作する。これらのような、上記ＩＣカードＣによる処理と上記制御部１１による処理とは、携帯電話機１内において独立して実行されるようになっている。
【００２５】
従って、ＩＣカードＣの状態やＩＣカードによる処理状況などは、当該ＩＣカードＣから上記制御部１１へ通知する必要がある。このため、上記制御部１１では、アプリケーションの実行中、ＩＣカードＣからの割り込み信号を受信するようになっている。これにより、上記制御部１１では、随時、ＩＣカードＣのステータスの変化（処理状況の変化）をＩＣカードからの割り込み信号により認識することができるようになっている。
【００２６】
次に、携帯電話機１における振動設定について説明する。  
図４は、上記ＩＣカードＣによる改札処理時における上記携帯電話機１の振動設定を行うための設定画面の例を示す図である。  
上記携帯電話機１では、上記操作部１２への利用者の操作によって上記表示部１６に、図４に示すような改札処理時の振動機能の設定画面を表示する。図４に示す設定画面の例では、利用者が改札処理時の振動機能のオンオフを設定できるようになっている。
【００２７】
たとえば、上記ＩＣカードＣによる改札処理の状況に応じた当該携帯電話機１の振動を禁止したい場合、利用者は、図４に示すような設定画面において「ＯＦＦ」を選択する。すると、上記制御部１１は、上記機能設定フラグ１１ａを無効として改札処理時の振動機能をオフに設定する。この場合、携帯電話機１内のＩＣカードＣと自動改札機とが通信を行っても、当該携帯電話機１は、振動しないように制御される。  
また、上記ＩＣカードＣによる改札処理の状況に応じて当該携帯電話機１を振動させるようにしたい場合、利用者は、図４に示すような設定画面において「ＯＮ」を選択する。すると、上記制御部１１は、上記機能設定フラグ１１ａを有効として改札処理時の振動機能をオンに設定する。この場合、携帯電話機１内のＩＣカードＣと自動改札機とが通信を行って改札処理を行うと、当該携帯電話機１は、その処理状況に応じて上記振動パターンテーブル１１ｂに基づく所定の振動パターンで振動するように制御される。
【００２８】
次に、上記ＩＣカードＣによる上記自動改札機２での改札処理（入出場処理）について説明する。  
図５は、上記ＩＣカードＣによる上記自動改札機２での改札処理を説明するためのフローチャートである。  
上記自動改札機２では、人物が接近してくると、上記無線通信ユニット２１によりＩＣカードＣに対して応答を要求する応答要求を送信する。これに対して、上記ＩＣカードＣが装着されている携帯電話機１の所持者は、上記自動改札機２を通過する際に、当該自動改札機２の所定の位置（無線通信ユニット２１の通信圏内）に当該携帯電話機１を翳す。これにより、当該携帯電話機１内の上記アンテナ１９は、上記無線通信ユニット２１の通信圏内に入る。
【００２９】
携帯電話機１内の上記アンテナ１９が上記無線通信ユニット２１の通信圏内に入ると、上記携帯電話機１内のＩＣカードＣは、上記アンテナ１９及び無線通信部３５により上記自動改札機２からの応答要求を受信する。上記自動改札機２からの応答要求を受信すると、上記ＩＣカードＣの制御素子３０は、当該ＩＣカードＣを起動させる（ステップＳ１１）。これにより、上記自動改札機２と上記ＩＣカードＣとは、無線通信が可能な状態となり、改札処理を開始する。  
上記自動改札機２との無線通信（改札処理）が開始されると、上記ＩＣカードＣの制御素子３０は、上記自動改札機２との通信が開始された旨（自動改札機からのアクセスがあった旨）の割り込み信号を当該携帯電話機１本体の制御部１１へ供給する（ステップＳ１２）。
【００３０】
上記自動改札機２との通信が開始された旨の割り込み信号を受信すると（ステップＳ２１）、当該携帯電話機１本体の制御部１１は、上記機能設定フラグ１１ａにより改札処理時の振動機能がオン（有効）となっているか否かを判断する（ステップＳ２２）。この判断により改札処理時の振動機能がオンとなっていると判断した場合（ステップＳ２２、ＹＥＳ）、上記制御部１１は、上記振動パターンテーブル１１ｂに基づく通信開始時の振動パターンで当該携帯電話機１本体を振動させる（ステップＳ２３）。
【００３１】
ここでは、上記振動パターンテーブル１１ｂには、通信開始時の振動パターンとして第１の振動パターンが設定されているものとする。この場合、上記制御部１１は、上記振動パターンテーブル１１ｂによりＩＣカードＣと自動改札機２との通信開始時の振動パターンが第１の振動パターンであると判断し、上記振動部１７により当該携帯電話機１本体を第１の振動パターンにて振動させる（ステップＳ２３）。
【００３２】
一方、上記制御部１１に通信開始を示す割り込み信号を供給したＩＣカードＣでは、上記自動改札機２との無線通信を行って改札処理を行う（ステップＳ１３）。  
この改札処理では、上述したように、ＩＣカードＣが自動改札機２からのデータ送信要求に対して乗車券情報などの利用者情報を自動改札機２へ送信する。上記ＩＣカードＣからの利用者情報を受信した自動改札機２では、ＩＣカードＣから受信した利用者情報と所定の判定条件とに基づいて通行の可否を判定する通行判定を行う。
【００３３】
この通行判定により当該利用者の通行を許可すると判定した場合、上記自動改札機２は、通行を許可する旨の通知と書き込みデータ（例えば、利用駅や利用時刻等を示す利用履歴情報）とを当該ＩＣカードＣへ送信するとともに、図示しないドア等を開放して当該利用者の通行を許可する制御を行う。  
また、上記通行判定により当該利用者の通行を不可とすると判定した場合、上記自動改札機２は、通行不可である旨の通知と書き込みデータとを当該ＩＣカードＣへ送信するとともに、図示しないドア等を閉鎖して当該利用者の通行を不許可とする制御を行う。
【００３４】
上記自動改札機２から判定結果と書き込みデータとを受信した上記ＩＣカードＣの制御素子３０は、上記自動改札機２から受信した書き込みデータを不揮発性メモリ３３に書き込むことにより当該改札処理を終了する。
【００３５】
さらに、上記自動改札機２からの判定結果を受けて当該改札処理を終了する場合、上記ＩＣカードＣの制御素子３０は、当該携帯電話機１本体の制御部１１へ自動改札機２との改札処理が完了した旨の割り込み信号を供給する（ステップＳ１５）。
【００３６】
上記ＩＣカードＣから改札処理が完了した旨の割り込み信号を受信すると（ステップＳ２４）、当該携帯電話機１本体の制御部１１は、上記機能設定フラグ１１ａにより改札処理時の振動機能がオン（有効）となっているか否かを判断する（ステップＳ２５）。この判断により改札処理時の振動機能がオンとなっていると判断した場合（ステップＳ２５、ＹＥＳ）、上記制御部１１は、上記振動パターンテーブル１１ｂに基づく改札処理終了時の振動パターンで当該携帯電話機１本体を振動させる（ステップＳ２６）。
【００３７】
ここでは、上記振動パターンテーブル１１ｂには、改札処理終了時の振動パターンとして上記第１の振動パターンとは異なる第２の振動パターンが設定されているものとする。この場合、上記制御部１１は、上記振動パターンテーブル１１ｂにより改札処理終了時の振動パターンが第２の振動パターンであると判断し、上記振動部１７により当該携帯電話機１本体を第２の振動パターンにて振動させる（ステップＳ２６）。
【００３８】
なお、上述した動作例では、自動改札機からの通行判定結果を受けたのに基づいて所定の振動パターンで携帯端末機器を振動させるようにしたが、自動改札機からの通行判定の結果に応じて、振動パターンを変化させるようにしても良い。たとえば、通行判定の結果が通行許可である場合と、通行判定の結果が不許可である場合とで、異なる振動パターンで振動させるようにしても良い。
【００３９】
これは、上記振動パターンテーブル１１ｂに通行許可の場合の振動パターンと通行不許可の場合の振動パターンとを設定しておき、上記ステップＳ１５で上記ＩＣカードＣが通行判定の結果を示す割り込み信号を制御部１１に供給することにより実現可能である。つまり、上記振動パターンテーブル１１ｂに通行許可の場合の振動パターンと通行不許可の場合の振動パターンとを設定しておくことにより、上記制御部１１は、ＩＣカードＣから通行判定の結果を受けて、通行判定の結果に応じた振動パターンで携帯端末機器１本体を振動させることが可能となる。
【００４０】
上記のように、本実施の形態では、自動改札機での改札処理が可能なＩＣチップを具備する携帯電話機を自動改札機の所定の通信圏内に翳すと、携帯電話機は、自動改札機と携帯電話機内のＩＣチップとの通信状況や処理状況に応じて携帯電話機の機体を震動させるようにしたものである。  
これにより、携帯電話機内に装着されているＩＣチップと自動改札機との通信状況や改札処理の状況を利用者に感覚的、かつ、確実に通知することができる。この結果として、自動改札機での処理未了率を低減させることが可能となる。
【００４１】
なお、上記実施の形態では、ＩＣチップが装着されている携帯電話機と自動改札機との改札処理時の動作について説明したが、上記のような振動機能を有する携帯端末機器と外部装置との通信により実行する処理についても同様な実施の形態が実現可能である。  
たとえば、本実施の形態は、コンサート会場、競技場、スキー場等のイベント会場などに設置される入出場ゲートと、電子チケット機能を有する携帯電話機などの携帯端末機器と、による入出場管理処理システムにも適用できる。この種の入出場管理システムでは、入出場ゲートが利用者が提示した携帯端末機器から読取った電子チケットとしての情報によって入出場管理を行う。従って、携帯端末機器と入出場ゲートとの通信状況や処理状況などに応じて携帯端末機器を振動させることにより、携帯端末機器と入出場ゲートとの通信状況や処理状況などを利用者に感覚的、かつ、確実に通知することができる。
【００４２】
また、本実施の形態は、セキュリティ管理される施設や部屋（例えば、自宅やオフィス等）などのドアに設置されている電子錠装置と、鍵情報や個人情報などの認証情報が記憶されている携帯電話機などの携帯端末機器とによるセキュリティ管理システムにも適用できる。この種のセキュリティ管理システムでは、電子錠装置が利用者が提示した携帯端末機器から読取った認証情報としての情報によってセキュリティ管理（電子錠の開閉制御）を行う。従って、携帯端末機器と電子錠装置との通信状況や処理状況などに応じて携帯端末機器本体を振動させることにより、携帯端末機器と電子錠装置との通信状況や処理状況などを利用者に感覚的、かつ、確実に通知することができる。
【００４３】
さらには、本実施の形態は、電子マネー機能を有する携帯電話機などの携帯端末機器と、店舗などに設置された取引端末装置とによる電子商取引システムに適用できる。この種の電子商取引システムでは、取引端末装置が利用者が提示した携帯端末機器から読取った電子マネーとしての情報（たとえば、金額情報、利用実績に応じたポイント情報など）によって商取引を行う。従って、携帯端末機器と取引端末装置との通信状況や処理状況などに応じて携帯端末機器本体を振動させることにより、携帯端末機器と取引端末装置との通信状況や処理状況などを利用者に感覚的、かつ、確実に通知することができる。
【図面の簡単な説明】
【００４４】
【図１】本発明の実施の形態に係る携帯端末機器としての携帯電話機の構成例を示すブロック図。
【図２】図１の携帯電話機に装着される電子装置としてのＩＣカードの構成例を示すブロック図。
【図３】ＩＣカードと携帯電話機本体の制御部（アプリケーション）との関係を概念的に示す図。
【図４】ＩＣカードによる改札処理時における携帯電話機の振動設定を行うための設定画面の例を示す図。
【図５】ＩＣカードが装着されている携帯電話機と自動改札機との改札処理を説明するためのフローチャート。
【符号の説明】
【００４５】
Ｃ…ＩＣカード（携帯端末機器に装着される電子装置）、１…携帯電話機（携帯端末機器）、２…自動改札機（通信制御装置）、１１…制御部、１４…音声部、１５…電源部、１７…振動部、１８…ＩＣカードソケット、１９…アンテナ、３０…制御素子、３１…ＲＡＭ、３２…ＲＯＭ、３３…不揮発性メモリ、３３ａ…記憶領域、３４…入出力インターフェース、３５…無線通信部
【図１】
2006229349.tif 000003
【図２】
2006229349.tif 000004
【図３】
2006229349.tif 000005
【図４】
2006229349.tif 000006
【図５】
2006229349.tif 000007